(57)【要約】【課題】口金等の金属部材と接触することがあるアゴ部の強度を向上させることを課題とする。【解決手段】ガラス素管の少なくとも一端部をピンチシール部３０で閉じて密閉空間２１を形成して該密閉空間内にフィラメント６０を配置し、外部から上記フィラメントに給電するためのリード線５０が上記ピンチシール部に埋設状に支持された白熱電球１０において、上記密閉空間を構成する管球部２０のうちアゴ部２２、すなわち、ピンチシール部に向かって径が小さくなって行く部分の肉厚ｔを上記ガラス素管の肉厚Ｔと同じか又はガラス素管の肉厚より厚く形成した。【選択図】        図１
2004207101.tif 000002
【特許請求の範囲】
【請求項１】
ガラス素管の少なくとも一端部をピンチシール部で閉じて密閉空間を形成して該密閉空間内にフィラメントを配置し、外部から上記フィラメントに給電するためのリード線が上記ピンチシール部に埋設状に支持された白熱電球において、
上記密閉空間を構成する管球部のうちアゴ部、すなわち、ピンチシール部に向かって径が小さくなって行く部分の肉厚を上記ガラス素管の肉厚と同じか又はガラス素管の肉厚より厚くした
ことを特徴とする白熱電球。
【請求項２】
上記アゴ部の肉厚ｔとガラス素管の肉厚Ｔとが、
Ｔ≦ｔ≦１．６Ｔ
の関係を満たす
ことを特徴とする請求項１に記載の白熱電球。
【発明の詳細な説明】
【０００１】
【発明の属する技術分野】
本発明は新規な白熱電球に関する。詳しくは、ガラス素管の少なくとも一端部をピンチシール部で閉じて密閉空間を形成して該密閉空間内にフィラメントを配置し、外部から上記フィラメントに給電するためのリード線が上記ピンチシール部に埋設状に支持された白熱電球において、上記密閉空間を構成する管球部のうちアゴ部、すなわち、ピンチシール部に向かって径が小さくなって行く部分の強度を向上させる技術に関する。
【０００２】
【従来の技術】
図３に示すような白熱電球ａがある。すなわち、軸方向に一定の長さに亘って同じ径を有する管球部ｂの一端が扁平なピンチシール部ｃで閉じられ、他端がへそ状のチップオフ部ｄで閉じられて密閉空間ｅが形成され、該密閉空間ｅ内にフィラメントｆが配置され、密閉空間ｅ内でフィラメントｆを支持し且つ外部からフィラメントｆに給電するためのリード線ｇ、ｇが上記ピンチシール部ｃに埋設状に支持された白熱電球ａがある。
【０００３】
上記した白熱電球ａは、一般的に、特許文献１や特許文献２に示すように、おおよそ以下のようにして製造される。
【０００４】
先ず、所定の長さを有するガラス素管ｈを用意し、該ガラス素管ｈの中間部分の径を細くして主部ｉの上端に細径のの排気管部ｊが連続したものを形成する（図４参照）。
【０００５】
そして、４本（１つのフィラメントを設ける場合は２本）のリード線ｇ、ｇ、・・・の一端寄りの位置をブリッジガラスｋで一体化すると共にリード線ｇ、ｇ、・・・の一端間にフィラメントｆ、ｆを張設して成るマウントｌのブリッジガラスｋ及びフィラメントｆ、ｆが位置する部分を下方から主部ｉ内に挿入する（図５参照）。
【０００６】
そこで、主部ｉの下端部をバーナーｍ、ｍ、・・・で加熱し（図６参照）、主部ｉの下端部が軟化したところでピンチャーｎ、ｎによって主部ｉの下端部を圧着し（図７参照）、ピンチシール部ｃを形成して主部ｉの下端を閉じると共に該ピンチシール部ｃにリード線ｇ、ｇ、・・・の中間部を封止する。
【０００７】
それから、図示しないが、排気管部ｊを通して主部ｉ内の排気、洗浄が行われた後、主部ｉ内に所定のガスが充填されて排気管部ｊがチップオフされて、白熱電球ａが形成される。
【０００８】
【特許文献１】
特許第２９３２０３１号公報
【特許文献２】
特許第３１５４０８５号公報
【０００９】
【発明が解決しようとする課題】
ところで、上記した従来の白熱電球ａにあって、アゴ部、すなわち、管球部ｂのうちガラス素管ｈの径と同じ径を有している部分からピンチシール部ｃに向かって径が小さくなって行く部分ｏの肉厚ｔ（ｏ）はガラス素管ｈの肉厚Ｔより小さくなっている。そのため、管球部ｂに口金を取り付けた時に口金の一部がアゴ部ｏに接触し、アゴ部ｏのうちの口金等金属との接触部位を起点として破損する惧があった。
【００１０】
そこで、本発明は、口金等の金属部材と接触することがあるアゴ部の強度を向上させることを課題とする。
【００１１】
【課題を解決するための手段】
本発明白熱電球は、上記した課題を解決するために、アゴ部の肉厚をガラス素管の肉厚と同じか又はガラス素管の肉厚より厚くしたものである。
【００１２】
従って、本発明白熱電球にあっては、アゴ部の強度が向上する。
【００１３】
【発明の実施の形態】
以下に、本発明白熱電球の実施の形態を添付図面を参照して説明する。
【００１４】
白熱電球１０は密閉空間２１を有する管球部２０の一端がピンチシール部３０で閉じられ、他端がチップオフ部４０で閉じられている。４本のリード線５０、５０、・・・（なお、密閉空間２１内に１本のフィラメントを配置する場合には、２本のリード線で足りる）がピンチシール部３０を貫通した状態でその中間部分がピンチシール部３０に埋設状に支持されている。リード線５０、５０、・・・のうち対を成す各２本のものの密閉空間２１内に位置した先端間にはフィラメント６０、６０が各別に張設されている。また、リード線５０、５０、・・・の密閉空間２１に位置している部分のピンチシール部３０寄りの部分には４本のリード線５０、５０、・・・を架け渡すようにブリッジガラス７０が溶着されている。
【００１５】
そして、上記白熱電球１０のアゴ部２２、すなわち、管球部２０のうちピンチシール部３０に向かって径が小さくなって行く部分２２の肉厚ｔはガラス素管の肉厚、すなわち、管球部２０のうち最大の径を有している部分２３の肉厚Ｔと同じか又はガラス素管の肉厚Ｔより厚く形成されている。好ましくは、
Ｔ≦ｔ≦１．６Ｔ
の関係を有することが好ましい。ｔ＜Ｔ、すなわち、アゴ部２２の肉厚ｔがガラス素管の肉厚Ｔより薄いと、従来技術の欄で説明したように、アゴ部２２で破損するものが多くなる。また、アゴ部２２の肉厚ｔがガラス素管の肉厚Ｔの１．６倍より厚くなると、（１）ピンチシール部３０を形成するための圧着の前の加熱工程に時間がかかり、生産効率が低下する、（２）排気工程後ガスの封入前の冷却に時間がかかり生産効率が低下する、（３）ピンチシール部３０の成形性が低下する等の不具合が生じる。
【００１６】
上記した白熱電球１０にあっては、アゴ部２２の肉厚ｔをガラス素管の肉厚Ｔと同じか又はガラス素管の肉厚より厚くしたので、アゴ部２２の機械的強度が増大し、アゴ部２２の破損を防止することができる。
【００１７】
次に、アゴ部２２の肉厚ｔが異なる５種類（０．９ｍｍ以下、０．９〜１．０ｍｍ、１．０〜１．１ｍｍ、１．１〜１．２ｍｍ、１．２ｍｍ以上）の白熱電球をそれぞれ１００個製作し、過電圧点滅試験を行った結果を表１に示す。
【００１８】
なお、上記過電圧点滅試験の主な仕様は以下の通りである、
白熱電球の仕様：使用したガラス素管の肉厚Ｔ＝１．０ｍｍ
フィラメントの定格：１２Ｖ４０Ｗ
試験時の点灯電圧：１５．４Ｖ（定格電圧の１１０％）
点灯モード：４５分点灯−１５分消灯の繰り返し
環境：自動車用尾灯に装着し、常温で行った
【００１９】
【表１】
2004207101.tif 000003
【００２０】
上記過電圧点灯試験の結果、ガラス素管の肉厚Ｔ＝１．０ｍｍに対し、アゴ部２２の肉厚ｔがガラス素管の肉厚以上であれば、アゴ部２２の破損を防止することができることが分かる。
【００２１】
なお、上記した実施の形態において示した各部の形状及び構造は、何れも本発明を実施するに際して行う具体化のほんの一例を示したものにすぎず、これらによって本発明の技術的範囲が限定的に解釈されることがあってはならないものである。
【００２２】
【発明の効果】
以上に記載したところから明らかなように、本発明白熱電球は、ガラス素管の少なくとも一端部をピンチシール部で閉じて密閉空間を形成して該密閉空間内にフィラメントを配置し、外部から上記フィラメントに給電するためのリード線が上記ピンチシール部に埋設状に支持された白熱電球において、上記密閉空間を構成する管球部のうちアゴ部、すなわち、ピンチシール部に向かって径が小さくなって行く部分の肉厚を上記ガラス素管の肉厚と同じか又はガラス素管の肉厚より厚くしたことを特徴とする。
【００２３】
従って、本発明白熱電球にあっては、アゴ部の強度が向上する。そのため、アゴ部の破損を防止することができる。
【００２４】
請求項２に記載した発明にあっては、上記アゴ部の肉厚ｔとガラス素管の肉厚Ｔとが、
Ｔ≦ｔ≦１．６Ｔ
の関係を満たすようにしたので、従来に比較してアゴ部の肉厚を厚くしても、生産効率の低下や成形性の低下を生じることがない。
【図面の簡単な説明】
【図１】図２と共に本発明白熱電球の実施の形態を示すものであり、本図は縦断面図である。
【図２】図１のＩＩ−ＩＩ線に沿う断面図である。
【図３】従来の白熱電球の一例を示す縦断面図である。
【図４】図５乃至図７と共に白熱電球の製造方法の一例を示す縦断面図であり、本図は中間に細径の排気管部を形成したガラス素管を示すものである。
【図５】ガラス素管の主部へのマウントの一部の挿入工程を示すものである。
【図６】ガラス素管のピンチシール部となる部分の加熱工程を示すものである。
【図７】ピンチシール部を形成するための圧着工程を示すものである。
【符号の説明】
１０…白熱電球、２０…管球部、２１…密閉空間、２２…アゴ部、２３…ガラス素管の肉厚を有する部分、３０…ピンチシール部、５０…リード線、６０…フィラメント
【図１】
2004207101.tif 000004
【図２】
2004207101.tif 000005
【図３】
2004207101.tif 000006
【図４】
2004207101.tif 000007
【図５】
2004207101.tif 000008
【図６】
2004207101.tif 000009
【図７】
2004207101.tif 000010